(57)【特許請求の範囲】
【請求項１】
本体内部に集塵室と、袋部材及び支持部材から成る集塵袋と、電動送風機と、前記集塵室を開閉する蓋体とを有する電気掃除機において、
前記蓋体の内側に吸引風の流れる流路空間を設ける流路構成部材を設け、
前記流路構成部材は、前記集塵袋を潰す方向に動作可能に設けられ、
前記流路構成部材の上部を流れる吸引風を利用し、前記流路構成部材を前記集塵袋方向へ押出す力を加えることを特徴とする電気掃除機。
【請求項２】
本体内部に集塵室と、袋部材及び支持部材から成る集塵袋と、電動送風機と、前記集塵室を開閉する蓋体とを有する電気掃除機において、
前記蓋体の内側に吸引風の流れる流路空間を設ける流路構成部材を設け、
前記流路構成部材は、前記集塵袋に振動を加えるよう動作可能に設けられ、
前記流路構成部材の上部を流れる吸引風を利用し、前記流路構成部材が前記集塵袋へ振動を加えるようにしたことを特徴とする電気掃除機。
【発明の詳細な説明】
【技術分野】
【０００１】
本発明は電気掃除機に関するものである。
【背景技術】
【０００２】
以下、図９を使って説明する。
【０００３】
従来の電気掃除機は、集塵室２０２に紙袋等の袋部材を設けて吸引した塵埃を集塵して
いる。この塵埃が袋部材２０４の内側に張り付き、袋部材２０４は徐々に目詰りを始めて
、次第に吸引力が低下してくる。更に、袋部材２０４の内部の圧力よりも、集塵室２０２
内部の圧力の方が負圧として大きい為、袋部材２０４は集塵室２０２や蓋体１０１の内壁
に張り付いてしまい、風の流れる空間が減少して吸引力が低下する原因になっていた。
【０００４】
そこで、袋部材２０４を振動させることで、袋部材２０４の内側表面に張り付いた塵埃
を除塵する構造（例えば特許文献１、特許文献２参照）をつくり、袋部材２０４の目詰り
を防ぎ、風の流れる空間の確保に関しては、集塵室２０２や蓋体１０１の内側に凸状のリ
ブ７０１を設けて、風の流れる空間を確保している。
【０００５】
【特許文献１】特開２００４−１７４０４８号公報
【特許文献２】特開平５−１２３号公報
【発明の開示】
【発明が解決しようとする課題】
【０００６】
上記記載の背景技術において、除塵を行う為の構造は、電源コードを引き出しの際の動
きをギヤを介し、袋部材を除塵する動きに変換したものや、電気的な部品（モータやソレ
ロイド）を用いて除塵を行っている為、構造が複雑になり、掃除機が大きくなる重くなる
といった問題点を有していた（例えば、特許文献１、特許文献２参考）。
【０００７】
また、従来の技術では、袋部材の後方（電動送風機側）を除塵していたので、塵が袋部
材下方へ落ちる前に再び除塵部へ付くことがあった。
【０００８】
本発明の目的は、上記問題を解決し、小型・軽量でかつ袋部材に目詰りした、塵埃を除
塵することにより、吸引力の低下を防ぐ事が可能な、掃除機を提供することにある。
【課題を解決するための手段】
【０００９】
上記の目的を達成する為に、本発明の特徴とするところは、本体内部に集塵室と集塵袋
と電動送風機と、前記集塵室を開閉する蓋体を有する電気掃除機において、前記蓋体の内
側に吸引風の流れる流路空間を設ける可動可能な流路構成部材を設けたことにある。
【００１１】
そして、前記流路構成部材の上部を流れる吸引風を利用し、前記流路構成部材を前記集塵袋方向へ押出す力を加えたことにある。
【００１２】
又は、前記流路構成部材の上部を流れる吸引風を利用し、前記流路構成部材が前記集塵袋へ振動を加えるようにしたことにある。
【発明の効果】
【００１３】
本発明によれば、蓋体の内側に吸引風の流れる流路空間を設ける可動可能な流路構成部
材を設け、流路構成部材を集塵袋方向へ動かす力を加える事により、電源を入れている際
は集塵袋が流路構成部材を上方向へ持ち上げ、電源を切った際に、流路構成部材が下方向
へ押され、集塵袋を潰すように動作する。これにより集塵袋壁面へ張り付いた、目詰りの
原因となる塵を落とすことが可能となる。この際、袋部材の上部を除塵するので、除塵を
行った塵を確実に下方へ落とすことが出来る。更に、流路構成部材が、蓋体との間に流路
を設け、風の流れる空間を確保している。これらの効果により、吸引力の低下を防ぐこと
が可能となり、又、一つの流路構成部材で、除塵及び、風の流れる空間の確保を行うこと
が出来るので、構造が簡単になり、小型・軽量化へも有効である。また、流路構成部材が
稼動するので、集塵袋が一杯になった場合でも、集塵量を減らすことが無い。
【発明を実施するための最良の形態】
【００１４】
以下、本発明の実施の形態の一例を添付の図面に基いて説明する。
【００１５】
図２は、本発明の実施の形態の一例に係わる電気掃除機の全体外観図である。
【００１６】
吸口３０１から吸引された塵埃は延長管３０２、ホース３０３を通り掃除機本体２０１
に集塵される。
【００１７】
図３は本発明の実施の形態の一例に係わる電気掃除機の本体断面図である。掃除機本体
２０１の内部には集塵室２０２、電動送風機２０３を設けており、集塵室２０２には吸引
した塵埃を集塵する袋部材２０４が装着されている。袋部材２０４には、硬質材料からな
る支持体２０５を一体に設けており、この支持体２０５によって集塵室２０２に取り付け
ている。集塵室２０２上部には袋部材２０４を取出し可能に開閉可能な蓋体１０１を設け
ている。更に蓋体１０１の内側には袋部材２０４を通過し、蓋体１０１にそって流れる吸
引風を清潔に保つための、フィルター１０２を備え、押圧部材としての流路構成部材１０
３で蓋体１０１に取り付けている。
【００１８】
図４は本発明の実施の形態の一例に係わる電気掃除機の蓋体の図（蓋体を内側から見た
図）である。フィルター１０２は流路構成部材１０３の内側にあるフィルターの収納部１
０４に収納され、その外周には袋部材２０４（図示せず）が膨らんでも蓋体１０１内部と
袋部材２０４の間で風の流れる流路が無くならないように流路空間１０５を設けている。
【００１９】
流路空間の入口１０６はフィルターの収納部１０２の側面に開口して電動送風機２０４
（図示せず）への風の流れを確保している。図示した矢印の様に、吸引風は流路構成部材
１０３の格子状の穴から入り、フィルター収納部の排気口１０８（図示せず）から電動送
風機へ導かれるものもある。これにより、蓋体１０１に設けたフィルター１０２へ積極的
に風がながれて、塵埃を通過して袋部材２０４から出た吸引風を清潔にする事が出来る。
同時に流路空間の入口１０６から流路空間１０５へ常に吸引風が導かれ、袋部材２０４が
膨らみ、蓋体１０１内部へ張り付くことによる吸引流路減少が原因の吸引力の低下を防ぐ
ことが出来る。
【００２０】
図５は本発明の実施の形態の一例に係わる電気掃除機のフィルター保持部の図である。
流路空間の入口１０６はフィルターの収納部１０４の外周に位置し、本実施の形態では、
流路を２分岐している。流路空間の排気口１０７はフィルター１０２（図示せず）の後方
に位置し、流路空間の入口１０６に対して、断面積が小さいが複数個設けることにより電
動送風機２０４（図示せず）への風の流れを確保している。これにより、集塵室内に集塵
可能な塵埃の容積を比較的減らすこと無く、吸引力の低下を防ぐとともに、積極的にフィ
ルターに風を流す事が出来るので、吸引風を清潔に保つことが出来る。
【００２１】
図１は本発明の実施の形態の一例に係わる電気掃除機の本体断面の流路構成部材周辺の
部分拡大図であり、図１ａは膨らんだ集塵袋によって、流路構成部材が上部に押されてい
る状態の図の一例であり、図１ｂが流路構成部材が集塵袋を潰している図の一例である。
【００２２】
電気掃除機２０１の電源を入れると、袋部材２０４内は吸込風が流入してくる為、圧力
が高くなり膨らむ。袋部材２０４の支持体２０５は流路空間の入口１０６よりも電動送風
機側（図示せず）へ位置しているので膨らんだ袋部材２０４によって流路空間の入口１０
６が塞がれる事を防止している。又、流路空間の入口１０６から流路空間の排気口１０７
までの長さ、つまり流路空間１０５の長さはフィルター収納部１０４よりも風の流れる方
向（図示の矢印方向）に対して長く設けているので膨らんだ袋部材２０４によって、流路
空間が塞がれることを防止している。
【００２３】
また、流路構成部材１０３は、蓋体１０１の爪部１０９及び、流路構成部材１０３の固
定部４０３の接触する点を支点に全体、若しくはその一部が上下に動くようになっている
。
【００２４】
図６ａは本発明の実施の形態の一例に係わる電気掃除機の流路構成部材１０３及び、蓋
体１０１の間にバネ４０１を組み込んだ図である。図６ｂは流路構成部材１０３が袋部材
２０４によって押し上げられている状態の図６ａにおけるＡ部拡大図であり、図６ｃは流路構成部材１０３がバネ４０１により押し下げられている状態の図６ａにおけるＡ部拡大図である。
【００２５】
電気掃除機２０１の電源を入れると、袋部材２０４内は吸込風が流入してくる為、圧力
が高くなり膨らみ、流路構成部材１０３を押し上げる。次に電気掃除機の電源を切ると、
押し上げられていた流路構成部材１０３は、ばね４０１により押し下げられ、袋部材２０
４を押圧する。これにより、袋部材２０４内側に付いている塵を落とすことができ、吸引
風低下を減少させ、吸引効率を良化させることが出来るものとなる。
【００２６】
図７ａは本発明の実施の形態の一例に係わる電気掃除機の流路空間の排気口１０７に羽
根部４０２を設けた物である。
【００２７】
図７ｂ、７ｃは流路構成部材１０１の羽根部４０２周辺の部分拡大図であり、図７ｂは袋部材が流路構成部材１０３を押し上げている状態であり、図７ｃは流路構成部材１０３が袋部材２０４を押圧している状態である。
【００２８】
電気掃除機の電源を入れると、袋部材２０４が膨らみ流路構成部材を押し上げる。この
力をＦ１とする。次に、流路を流れる吸込風が流路構成部材の羽根部４０２にあたり、流
路構成部材１０３を下方向へ押出す力Ｆ２が発生する。流路構成部材１０３が袋部材２０
４により押し上げられている時は、吸引風に対し、羽根部４０２の角度が急になっている
為、力の関係はＦ１＜Ｆ２となり、流路構成部材１０３は押し下げられ、袋部材２０４を
潰す。次に流路構成部材１０３が押し下げられると、吸引風に対し、羽根部４０２の角度
が浅くなる為、力の関係はＦ１＞Ｆ２となり、流路構成部材１０３は押し上げられる。以上を繰り返す事により、流路構成部材１０３が振動し、集塵袋内側に付いている塵を落とすことができ、吸引風低下を減少させ、吸引効率を良化させることが出来るものとなる。
【００２９】
図８ａは本発明の実施の形態の一例に係わる電気掃除機の流路構成部材１０３の前方の
固定部４０３を固定支持としたものである。更に流路構成部材１０３は、初期様態にて、
モータ方向の袋部材２０４を押圧する方向に傾けて配置されている。
【００３０】
図８ｂ、図８ｃは図８ａの部分拡大図である。図８ｂは袋部材によって、流路構成部が押し上げられている状態であり、図８ｄは流路構成部が袋部材を押圧している状態である。
【００３１】
電気掃除機の電源を入れると袋部材２０４が膨らみ、流路構成部材１０３を押し上げる
。しかし、流路構成要素は、固定部４０３により、固定されているのであ部が弾性変形を
おこし、弾性エネルギーが溜まる。次に電気掃除機の電源を切ると、溜まっていた弾性エ
ネルギーを用い、流路構成部材１０３は、袋部材を潰しながら元の位置へ戻る。これによ
り、集塵袋内側に付いている塵を落とすことができ、吸引風低下を減少させ、吸引効率を
良化させることが出来るものとなる。
【００３２】
以上説明したように、袋部材上部に目詰りした塵埃を除塵するため、除塵した塵が再び
除塵部へ付くことを、防止出来、更に積極的に、上部のフィルタへ吸込風を送る事が可能
となる。
【００３３】
又、流路構成部材は、同時に除塵機能も有するため、小型化・軽量化の面においても有
利である。
【図面の簡単な説明】
【００３４】
【図１】本発明の実施の形態の一例に係わる電気掃除機の本体断面の流路構成部材周辺の部分拡大図である。
【図２】本発明の実施の形態の一例に係わる電気掃除機の全体外観図である。
【図３】本発明の実施の形態の一例に係わる電気掃除機の本体断面図である。
【図４】本発明の実施の形態の一例に係わる電気掃除機の蓋体の図（蓋体を内側から見た図）である。
【図５】本発明の実施の形態の一例に係わる電気掃除機の流路構成部材の図である。
【図６ａ】本発明の実施の形態の一例に係わる電気掃除機の流路構成部材及び、蓋体の間にバネを組み込んだ図である。
【図６ｂ】流路構成部材が袋部材によって押し上げられている状態の図６ａの部分拡大図である。
【図６ｃ】流路構成部材がバネにより押し下げられている状態の図６ａの部分拡大図である。
【図７ａ】本発明の実施の形態の一例に係わる電気掃除機の流路空間の排気口に羽根部を設けた流路構成部材の図である。
【図７ｂ】袋部材が流路構成部材を押し上げている状態の図７ａのＡ−Ａ断面図である。
【図７ｃ】流路構成部材が袋部材を押圧している状態の図７ａのＡ−Ａ断面図である。
【図８ａ】本発明の実施の形態の一例に係わる電気掃除機の流路構成部材の前方の固定部を固定支持としたものである。
【図８ｂ】袋部材が流路構成部材を押し上げている状態の図８ａの部分拡大図である。
【図８ｃ】流路構成部材が袋部材を押圧している状態の図８ａの部分拡大図である。
【図９】従来の電気掃除機の本体断面図である。
【符号の説明】
【００３５】
１０１…蓋体、１０２…フィルター、１０３…流路構成部材、１０４…収納部、１０５
…流路空間、１０６…流路空間の入口、１０７…流路空間の排気口、１０８…フィルター
収納部の排気口、１０９…流路構成部材の爪部、２０１…掃除機本体、２０２…集塵室、
２０３…電動送風機、２０４…袋部材、２０５…支持体、３０１…吸口、３０２…延長間
、３０３…ホース、４０１…バネ、４０２…羽根部、４０３…固定部、７０１…リブ。
【図１】
0004557997.tif 000002
【図２】
0004557997.tif 000003
【図３】
0004557997.tif 000004
【図４】
0004557997.tif 000005
【図５】
0004557997.tif 000006
【図６ａ】
0004557997.tif 000007
【図６ｂ】
0004557997.tif 000008
【図６ｃ】
0004557997.tif 000009
【図７ａ】
0004557997.tif 000010
【図７ｂ】
0004557997.tif 000011
【図７ｃ】
0004557997.tif 000012
【図８ａ】
0004557997.tif 000013
【図８ｂ】
0004557997.tif 000014
【図８ｃ】
0004557997.tif 000015
【図９】
0004557997.tif 000016